(57)【要約】【課題】  画像表示部を投影装置に確実に固定することができ、かつ画像表示部の温度上昇を確実に抑制することができる電子機器を提供する。【解決手段】  投影装置２８を収容する筐体４と、前記投影装置２８に設けられ、前記投影装置２８により投影される画像を表示する画像表示部３８に接続する接続部５８ａ，５８ｂと、前記筐体４の内壁面の方向に付勢され、前記筐体４の内壁面に圧接される圧接部６４とを有する伝熱部材５６とを備える。【選択図】  図１０
2009258490.tif 000002
【特許請求の範囲】
【請求項１】
投影装置を収容する筐体と、
前記投影装置に設けられ、前記投影装置により投影される画像を表示する画像表示部に接続する接続部と、前記筐体の内壁面の方向に付勢され、前記筐体の内壁面に圧接される圧接部とを有する伝熱部材と、
を備えることを特徴とする電子機器。
【請求項２】
前記圧接部は、球面の一部の形状を有することを特徴とする請求項１記載の電子機器。
【請求項３】
前記圧接部は、円柱の側面の一部の形状を有することを特徴とする請求項１記載の電子機器。
【請求項４】
前記接続部は、前記画像表示部方向に付勢され、前記画像表示部の一部に圧接されるばね部を備えることを特徴とする請求項１〜請求項３の何れか一項に記載の電子機器。
【請求項５】
前記画像表示部は、前記ばね部による付勢力により前記投影装置に押し当てられ固定されることを特徴とする請求項４記載の電子機器。
【請求項６】
前記伝熱部材は、放熱性に優れた金属により構成されることを特徴とする請求項１〜請求項５の何れか一項に記載の電子機器。
【請求項７】
前記伝熱部材は、ばね性に優れた金属により構成されることを特徴とする請求項１〜請求項６の何れか一項に記載の電子機器。
【請求項８】
撮像装置及び投影装置を収容する筐体と、
前記投影装置に設けられ、前記投影装置により投影される画像を表示する画像表示部に接続する接続部と、前記筐体の内壁面の方向に付勢され、前記筐体の内壁面に圧接される圧接部とを有する伝熱部材と、
を備えることを特徴とする撮影装置。
【請求項９】
前記圧接部は、球面の一部の形状を有することを特徴とする請求項８記載の撮影装置。
【請求項１０】
前記圧接部は、円柱の側面の一部の形状を有することを特徴とする請求項８記載の撮影装置。
【請求項１１】
前記接続部は、前記画像表示部方向に付勢され、前記画像表示部の一部に圧接されるばね部を備えることを特徴とする請求項８〜請求項１０の何れか一項に記載の撮影装置。
【請求項１２】
前記画像表示部は、前記ばね部による付勢力により前記投影装置に押し当てられ固定されることを特徴とする請求項１１記載の撮影装置。
【請求項１３】
前記伝熱部材は、放熱性に優れた金属により構成されることを特徴とする請求項８〜請求項１２の何れか一項に記載の撮影装置。
【請求項１４】
前記伝熱部材は、ばね性に優れた金属により構成されることを特徴とする請求項８〜請求項１３の何れか一項に記載の撮影装置。
【発明の詳細な説明】
【技術分野】
【０００１】
本発明は、電子機器及び撮影装置に関するものである。
【背景技術】
【０００２】
プロジェクタユニットを備えた撮影装置においては、撮影機能を用いて撮影された画像を、プロジェクタ機能を用いることにより多くの人が一度に鑑賞することができる。しかしながら、プロジェクタ機能を用いて画像を投影する際、光源からの発熱等により撮影装置内の温度が上昇するおそれがあるため、装置各部の信頼性確保のために放熱を確実に行う必要がある。
【０００３】
放熱方法としては、発熱源と筐体との間にばね性を有する金属板で形成された伝熱部材を介在させ、発熱源と筐体とを接続し、放熱を行う技術が提案されている（例えば、特許文献１参照）。また、発熱源と三次元曲面を有する筐体との間に複数の圧着片を有する伝熱ばねを介在させ、この複数の圧着片を筐体に圧接させることにより発熱源と筐体とを接続し、放熱を行う技術が提案されている（例えば、特許文献２参照）。
【特許文献１】特開２００７−１６５６８６号公報
【特許文献２】特開平５−３２７２５１号公報
【発明の開示】
【発明が解決しようとする課題】
【０００４】
ところで、上述のプロジェクタユニットを備えた撮影装置においては、プロジェクタユニットを構成するＬＣＯＳ（反射型液晶素子）の画像投影時における温度は、光源の発熱またはＬＣＯＳ自体の発熱により上昇するが、ＬＣＯＳの性能を維持するためには、放熱を確実に行う必要がある。しかしながら、上述の特許文献１及び２記載の放熱方法においては、三次元曲面を有する筐体に対して発熱源の放熱を行う場合には十分な効果を得ることができない。
【０００５】
本発明の目的は、画像表示部を投影装置に確実に固定することができ、かつ画像表示部の温度上昇を確実に抑制することができる電子機器及び撮像装置を提供することである。
【課題を解決するための手段】
【０００６】
本発明の電子機器は、投影装置を収容する筐体と、前記投影装置に設けられ、前記投影装置により投影される画像を表示する画像表示部に接続する接続部と、前記筐体の内壁面の方向に付勢され、前記筐体の内壁面に圧接される圧接部とを有する伝熱部材とを備えることを特徴とする。
【０００７】
また、本発明の撮影装置は、撮像装置及び投影装置を収容する筐体と、前記投影装置に設けられ、前記投影装置により投影される画像を表示する画像表示部に接続する接続部と、前記筐体の内壁面の方向に付勢され、前記筐体の内壁面に圧接される圧接部とを有する伝熱部材とを備えることを特徴とする。
【発明の効果】
【０００８】
本発明の電子機器及び撮影装置によれば、画像表示部を投影装置内に確実に固定することができ、かつ画像表示部の温度上昇を確実に抑制することができる。
【発明を実施するための最良の形態】
【０００９】
以下、図面を参照して本発明の実施の形態に係るカメラについて説明する。図１は、実施の形態に係るカメラの外観を示す斜視図である。カメラ２は、アルミニウム板金等の金属からなる前面カバー４と背面カバー６とを備えている。図１に示すように、前面カバー４及び背面カバー６の外壁面は、三次元曲面により構成されている。前面カバー４には、撮影窓８、プロジェクタ投影窓１０と、フラッシュ光が射出されるフラッシュ窓１２が設けられている。また、カメラ２の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスレバー２０等が設けられている。
【００１０】
図２は、実施の形態に係るカメラ２の背面の構成を示す図である。カメラ２の背面カバー６には、撮影画像の表示、再生等を行うＬＣＤ表示部２２、ＬＣＤ表示部２２に表示された撮影条件等を選択するマルチセレクタ等を備える操作部２４が設けられている。なお、本実施の形態においては、金属からなる前面カバー４及び背面カバー６を用いているが、プラスティックからなる前面カバー及び背面カバーを用いてもよい。
【００１１】
図３は、実施の形態に係るカメラ２において、内部に収容されている各ユニットの配置を示す正面図である。カメラ２の内部には、被写体を撮像するための撮像素子を有する鏡筒ユニット２６、投影用光学像を投影するための光学系等を有するプロジェクタユニット２８、鏡筒ユニット２６及びプロジェクタユニット２８に電力を供給するバッテリを収容する電池室３０が設けられている。
【００１２】
図４は、実施の形態に係るプロジェクタユニット２８の構成を示す断面図である。光源であるＬＥＤ（発光ダイオード）３２から射出された光は、集光レンズ３４により略平行光となり、入射した光をＰ偏光成分の光とＳ偏光成分の光とに分離する偏光ビームスプリッタ３６に入射する。偏光ビームスプリッタ３６に入射した光のうち、Ｓ偏光成分の光は図４における下方に反射され、偏光ビームスプリッタ３６の図４における下面３６ａに入射する。なお、下面３６ａには、黒色処理等の無反射処理が施されている。偏光ビームスプリッタ３６に入射した光のうち、Ｐ偏光成分の光は、偏光ビームスプリッタ３６を透過し、プロジェクタユニット２８により投影する画像を表示するＬＣＯＳ（反射型液晶素子）３８に入射する。
【００１３】
ＬＣＯＳ３８に入射した光は、ＬＣＯＳ３８により反射され、偏光ビームスプリッタ３６に再度入射する。ここで、ＬＣＯＳ３８を構成する図示しない液晶層は、電圧が印加されると入射光に対して位相板として機能する。したがって、ＬＣＯＳ３８から射出する光のうち液晶層により電圧が印加された画素領域を通過した光は、Ｐ偏光成分の光からＳ偏光成分の光に変換され、ＬＣＯＳ３８から射出する光のうち液晶層により電圧が印加されていない画像領域を通過した光は、Ｐ偏光成分の光として進行する。
【００１４】
Ｓ偏光成分とＰ偏光成分との混合光として偏光ビームスプリッタ３６に再度入射した光は、偏光ビームスプリッタ３６によりＳ偏光成分の光のみ反射される。偏光ビームスプリッタ３６により反射されたＳ偏光成分の光は、投影用光学像を投影するための投影ンズ４０及び投影レンズ４０から射出された光学像の投影方向を偏向させるためのプリズム４２を介してプロジェクタ投影窓１０からカメラ２の前方へ投射される。即ち、ＬＣＯＳ３８に表示された画像が投影用光学像として読み出され、カメラ２の前方向へ投射される。
【００１５】
図５は実施の形態に係るカメラ２の前面カバー４の内部に配置されたプロジェクタユニット２８の斜視図、図６はその正面図である。プロジェクタユニット２８はカメラ２の略中央部に位置し、ＬＣＯＳ３８の裏面には伝熱部材５６が設けられている。伝熱部材５６は、アルミニウム、銅、真鍮等の熱伝導率が大きく放熱性に優れ、且つ、ばね性に優れた金属で形成されている。
【００１６】
図７は伝熱部材５６の構成を示す斜視図、図８（ａ）はその正面図、（ｂ）はその平面図、（ｃ）はその右側面図、図９はＬＣＯＳ３８及び伝熱部材５６をプロジェクタユニット２８に取り付ける状態を示す図である。なお、図９においては、ＬＣＯＳ３８の配線部３８ａが図示されている。図７〜図９に示すように、伝熱部材５６は矩形状の接続面５７を備えており、接続面５７には２つのばね部５８ａ，５８ｂ、２つのばね部５８ａ，５８ｂの先端部にはそれぞれ接続部５９ａ，５９ｂが設けられている。また、伝熱部材５６は、接続面５７の四隅に接続面５７に対して垂直方向に立設される４つの接続片６０を備えており、４つの接続片６０の中央部にはそれぞれ穴部６０ａが設けられている。また、伝熱部材５６は、接続面５７の前面カバー４側の一辺に接続面５７に対して垂直方向であって接続片６０の反対方向に立設される圧接部６４を備えており、圧接部６４の中央部には球体の一部、即ち半球体の形状を有し、球体面を前面カバー４側に向けている半球体部６４ａが設けられている。
【００１７】
図９に示すように、ＬＣＯＳ３８及び伝熱部材５６をプロジェクタユニット２８に取り付ける場合には、伝熱部材５６の４つの穴部６０ａを、プロジェクタユニット２８の前面カバー４側に設けられている２つの爪部６２及び背面カバー６側に設けられている２つの爪部（図示せず）に係合する。これにより、伝熱部材５６がプロジェクタユニット２８に固定され、ばね部５８ａ，５８ｂの付勢力によりＬＣＯＳ３８がプロジェクタユニット２８に押し当てられ、ＬＣＯＳ３８をプロジェクタユニット２８に固定することができる。また、２つのばね部５８ａ，５８ｂは、ＬＣＯＳ３８の方向に付勢されているため、接続部５９ａ，５９ｂがＬＣＯＳ３８の裏面に圧接される。したがって、ＬＣＯＳ３８からの熱を伝熱部材５６に伝導することができる。
【００１８】
また、圧接部６４は、前面カバー４の内壁面の方向に付勢され、前面カバー４の内壁面に圧接される。具体的には、図６のＡ−Ａ断面図である図１０に示すように、圧接部６４が前面カバー４の内壁面の方向に付勢され、半球体部６４ａが前面カバー４の内壁面に圧接される。即ち、前面カバー４の内壁面は三次元曲面であるが、圧接部６４の半球体部６４ａの何れか一点（接点）が前面カバー４の内壁面に確実に接続される。したがって、ＬＣＯＳ３８からの熱は、伝熱部材５６を介して前面カバー４に伝導され、前面カバー４から外気等へ放出される。
【００１９】
このように、伝熱部材５６は、ばね部５８ａ，５８ｂの接続部５９ａ，５９ｂがＬＣＯＳ３８の裏面に押し付ける方向に付勢されており、かつ圧接部６４が前面カバー４の内壁面方向に付勢されている。したがって、伝熱部材５６は、接着剤等を用いなくても、常にＬＣＯＳ３８及び前面カバー４に圧接した状態となる。また、組み付け工程や設計変更等によりプロジェクタユニット２８の位置や前面カバー４の形状が多少変化した場合においても、常に伝熱部材５６をＬＣＯＳ３８の裏面及び前面カバー４の内壁面に密着させることができる。
【００２０】
これにより、伝熱部材５６は、ＬＥＤ３２の発熱及びＬＣＯＳ３８自体の発熱等によるＬＣＯＳ３８の熱を、ＬＣＯＳ３８の裏面と接触しているばね部５８ａ，５８ｂの接続部５９ａ，５９ｂから、圧接部６４の半球体部６４ａを介して、半球体６４ａの一点（接点）と接触している前面カバー４に伝導する。伝熱部材５６は、放熱性に優れた金属により構成されているため、ＬＣＯＳ３８から前面カバー４へ効率よく放熱することができる。
【００２１】
なお、ばね部５８ａ，５８ｂの接続部５９ａ，５９ｂのそれぞれは、ＬＣＯＳ３８をプロジェクタユニット２８に確実に固定するために、矩形状を有するＬＣＯＳ３８の対角部をそれぞれ圧接するとよい。
【００２２】
本実施の形態に係るカメラによれば、伝熱部材５６のばね部５８ａ，５８ｂを用いてＬＣＯＳ３８をプロジェクタユニット２８に確実に固定することができる。また、伝熱部材５６の圧接部６４を用いて伝熱部材５６を前面カバー４の内壁面に確実に圧接することができる。したがって、伝熱部材５６と前面カバー４との間に放熱シートや放熱グリスを備えなくとも、伝熱部材５６を用いてＬＣＯＳ３８の熱を確実に前面カバー４に伝導することができるため、効率よく放熱を行うことができ、ＬＣＯＳ３８の温度上昇を確実に抑制することができる。また、伝熱部材５６がＬＣＯＳ３８をプロジェクタユニット２８に固定するための固定部材として、かつ放熱するための放熱部材としての機能を有しているため、固定部材と放熱部材とを別に設ける必要がなく、コストダウンを図ることができる。
【００２３】
なお、本実施の形態においては、伝熱部材５６のばね部５８ａ，５８ｂを介して伝熱部材５６の接続面５７にＬＣＯＳ３８の熱を伝導しているが、ばね部５８ａ，５８ｂの代わりに放熱シート等の放熱部材をＬＣＯＳ３８とばね部を有さない伝熱部材との間に挟み、この放熱部材を介して接続面５７にＬＣＯＳ３８の熱を伝導するようにしてもよい。
【００２４】
また、本実施の形態においては、伝熱部材５６が２つのばね部５８ａ，５８ｂを備えているが、例えば図１１に示すように、伝熱部材５６Ａが４つのばね部５８ｃ，５８ｄ，５８ｅ，５８ｆを備えるようにしてもよい。この場合には、ばね部５８ｃ，５８ｄ，５８ｅ，５８ｆのそれぞれが矩形状を有するＬＣＯＳ３８の角部をそれぞれ圧接するとよい。また、伝熱部材が１つ、３つまたは５つ以上のばね部を備えるようにしてもよい。
【００２５】
また、本実施の形態においては、圧接部６４が半球体部６４ａを備えているが、圧接部６４が円柱の側面の一部の形状を有する円柱体部を備えるようにしてもよい。図１２は、他の伝熱部材５６Ｂの構成を示す図であり、（ａ）は斜視図、（ｂ）は正面図、（ｃ）は平面図、（ｄ）は右側面図である。図１２に示すように、伝熱部材５６Ｂの圧接部６４Ｂは、ＬＣＯＳ３８の裏面に対して垂直方向に延びる円柱の側面の一部の形状を有する円柱体部６４ｂを備えており、円柱体部６４ｂの何れかの母線が前面カバー４の内壁面に接触する。図１２に示す伝熱部材５６Ｂは、前面カバー４の内壁面が円柱の高さ方向に垂直な方向にのみ湾曲し、高さ方向に湾曲していない場合、前面カバー４の内壁面に確実に圧接することができ、伝熱部材５６と比較して前面カバー４の内壁面との接触面積を増大させることができるため、更に効率よく放熱を行うことができる。
【００２６】
同様に、図１３は、他の伝熱部材５６Ｃの構成を示す図であり、（ａ）は斜視図、（ｂ）は正面図、（ｃ）は平面図、（ｄ）は右側面図である。図１３に示すように、伝熱部材５６Ｃの圧接部６４Ｃは、ＬＣＯＳ３８の裏面に対して平行方向に延びる円柱の側面の一部の形状を有する円柱体部６４ｃを備えており、円柱体部６４ｃの何れかの母線が前面カバー４の内壁面に接触する。図１３に示す伝熱部材５６Ｃは、前面カバー４の内壁面が円柱の高さ方向に垂直な方向にのみ湾曲し、高さ方向に湾曲していない場合、前面カバー４の内壁面に確実に圧接することができ、伝熱部材５６と比較して前面カバー４の内壁面との接触面積を増大させることができるため、更に効率よく放熱を行うことができる。
【００２７】
また、本実施の形態においては、圧接部６４の半球体部６４ａが前面カバー４の内壁面に圧接されているが、背面カバー６の内壁面、その他カメラ２の底面、側面等の内壁面に圧接される構成にしてもよい。
【００２８】
また、本実施の形態においては、ＬＣＯＳ３８の消費電力が増大するにつれてＬＣＯＳ３８の発熱量も増大する。ＬＣＯＳの性能を維持することができる上限温度（約５０℃）を超えた場合、反射率の低下、コントラスト性能の低下等、ＬＣＯＳ３８の性能が劣化するおそれがある。したがって、ＬＣＯＳ３８の消費電力が大きい場合（消費電力が例えば５００ｍＷ以上の場合）、半球体部６４ａと前面カバー４の内壁面との間に放熱シートや放熱グリスを挿入するようにしてもよい。この場合には、伝熱部材５６と前面カバー４との接触面積を増大させることできるため、放熱効果を高くすることができ、ＬＣＯＳ３８の温度上昇を確実に抑制することができる。同様に、ＬＣＯＳ３８とばね部５８ａ，５８ｂとの間に放熱シートや放熱グリスを挿入してもよい。この場合においても、ＬＣＯＳ３８と伝熱部材５６との接触面積を増大させることができるため、放熱効果を高くすることができ、ＬＣＯＳ３８の温度上昇を確実に抑制することができる。
【００２９】
また、本実施の形態においては、爪部６２を穴部６０に係合させることにより伝熱部材５６をプロジェクタユニット２８に固定させているが、他の係合方法により伝熱部材５６をプロジェクタユニット２８に固定させてもよい。
【００３０】
また、本実施の形態においては、撮影装置としてカメラを例に挙げて説明したが、他の撮影装置または他の電子機器（例えば、携帯電話等）に本発明を適用することができる。
【図面の簡単な説明】
【００３１】
【図１】本発明の実施の形態に係るカメラの外観を示す斜視図である。
【図２】本発明の実施の形態に係るカメラの背面の構成を示す図である。
【図３】本発明の実施の形態に係るカメラ内部に収納された各ユニットの配置を示す正面図である。
【図４】本発明の実施の形態に係るプロジェクタユニットの構成を示す図である。
【図５】本発明の実施の形態に係るカメラの前面カバーの内部に配置されたプロジェクタユニットの斜視図である。
【図６】本発明の実施の形態に係るカメラの前面カバーの内部に配置されたプロジェクタユニットの正面図である。
【図７】本発明の実施の形態に係る伝熱部材の形状を示す斜視図である。
【図８】本発明の実施の形態に係る伝熱部材の形状を示す図である。
【図９】本発明の実施の形態に係るＬＣＯＳ及び伝熱部材をプロジェクタユニットに取り付ける状態を示す図である。
【図１０】本発明の実施の形態に係るプロジェクタユニットの構成を示す断面図である。
【図１１】本発明の実施の形態に係る他の伝熱部材の形状を示す正面図である。
【図１２】本発明の実施の形態に係る他の伝熱部材の形状を示す図である。
【図１３】本発明の実施の形態に係る他の伝熱部材の形状を示す図である。
【符号の説明】
【００３２】
２…カメラ、４…前面カバー、６…背面カバー、１０…プロジェクタ投影窓、２６…鏡筒ユニット、２８…プロジェクタユニット、３０…電池室、３２…ＬＥＤ、３６…偏光ビームスプリッタ、３８…ＬＣＯＳ、５６，５６Ａ，５６Ｂ，５６Ｃ…伝熱部材、５７…接続面、５８ａ，５８ｂ…ばね部、６４，６４Ｂ，６４Ｃ…圧接部。
【図１】
2009258490.tif 000003
【図２】
2009258490.tif 000004
【図３】
2009258490.tif 000005
【図４】
2009258490.tif 000006
【図５】
2009258490.tif 000007
【図６】
2009258490.tif 000008
【図７】
2009258490.tif 000009
【図８】
2009258490.tif 000010
【図９】
2009258490.tif 000011
【図１０】
2009258490.tif 000012
【図１１】
2009258490.tif 000013
【図１２】
2009258490.tif 000014
【図１３】
2009258490.tif 000015